(57)【要約】【課題】従来のジグソーパズルでは、組立体を持ち上げるとピース同士のかみ合いが外れ、組立状態を維持することができないという問題がある。本発明は、組立後の組立体を持ち上げることが可能なジグソーパズルを提供する。【解決手段】凸部と凹部とが嵌合して連結される、複数の同一形状のピース１０を含むジグソーパズルであって、凸部はその根本の両側から続く、ふたつのくびれ部と、ふたつのくびれ部で挟まれる頭部とを含む。頭部の横幅は、凹部の横幅よりも大きい。【選択図】図２
2019187562.tif 000002
【特許請求の範囲】
【請求項１】
凸部と凹部とが嵌合して連結される、複数の同一形状のピースを含むジグソーパズルであって、
前記凸部はその根本の両側から続く、ふたつのくびれ部と、前記ふたつのくびれ部で挟まれる頭部とを含み、
前記頭部の横幅は、前記凹部の横幅よりも大きいことを特徴とするジグソーパズル。
【請求項２】
前記ピースは、主成分が、ポリプロピレン、ポリ塩化ビニル、ポリエチレン、ポリスチレン及びポリエチレンテレフタレートから選択される一種以上の樹脂から形成されるとともに、前記頭部の横幅と前記凹部の横幅との差は０．０４ｍｍ〜０．２０ｍｍの範囲内に設定されることを特徴とする請求項１に記載のジグソーパズル。
【請求項３】
前記くびれ部の横幅は、前記凹部の前記くびれ部に対応する部分の横幅より大きいことを特徴とする請求項１または２に記載のジグソーパズル。
【発明の詳細な説明】
【技術分野】
【０００１】
本発明は、組み立て・分解が可能なジグソーパズルに関する。
【背景技術】
【０００２】
一枚の絵柄を幾つかの小片に分解して、分解した小片を再び組み立てるジグソーパズルが知られている。本出願人は、例えば、特許文献１において、ジグソーパズルとその製造方法を開示している。特許文献１のジグソーパズルは、長方形の平板型の多数のピースからなり、一旦バラバラに分離したピースを、嵌め合わせてその絵柄を復元することにより、遊ぶように構成されている。
【先行技術文献】
【特許文献】
【０００３】
【特許文献１】特開２０１２−２４９８５１号公報
【発明の概要】
【発明が解決しようとする課題】
【０００４】
本発明者らはジグソーパズルについて以下のような認識を得た。
ジグソーパズルの各ピースは、多角形の各辺に凸部または凹部があり、その凸部や凹部によって隣接するピースとかみ合うようになっている。ジグソーパズルのピースは、それぞれ異なる形状を有しており、全く同じ形をしたピースは含まない。このようなジグソーパズルは、ピース表面の絵柄とピースの形状とを手がかりに組み立てる。
【０００５】
このようなジグソーパズルでは、互いに異形のピースを組み立てて組立体を完成させるので、組立後の絵柄は一つであり、創造性を育む観点で十分でない。また、一度組立体を完成させると飽きてしまう特性もあった。つまり、ジグソーパズルには多様な絵柄を創造するという遊び方ができないという問題があった。
【０００６】
また、組立体の端を持ち上げ、組立体の表面に現れた絵柄を周囲の人に見えるように横向きや縦向きに提示して楽しみたいというニーズがある。しかし、従来のジグソーパズルでは、組立体を持ち上げるとピース同士のかみ合いが外れ、組立状態を維持することができないという問題があった。
これらから、本発明者らは、ジグソーパズルには、組立後の組立体を持ち上げることを可能とする観点で改善すべき課題があることを認識した。
【０００７】
本発明は、こうした状況に鑑みてなされたものであり、その目的は、組立後の組立体を持ち上げることができるジグソーパズルを提供することにある。
【課題を解決するための手段】
【０００８】
上記課題を解決するために、本発明のある態様のジグソーパズルは、凸部と凹部とが嵌合して連結される、複数の同一形状のピースを含むジグソーパズルであって、凸部はその根本の両側から続く、ふたつのくびれ部と、ふたつのくびれ部で挟まれる頭部とを含む。頭部の横幅は、凹部の横幅よりも大きい。
【０００９】
なお、以上の構成要素の任意の組み合わせや本発明の構成要素や表現を、方法、装置、システムなどの間で相互に置換したものもまた、本発明の態様として有効である。
【発明の効果】
【００１０】
本発明によれば、組立後の組立体を持ち上げることができるジグソーパズルを提供することができる。
【図面の簡単な説明】
【００１１】
【図１】実施の形態に係るジグソーパズルの平面図である。
【図２】図１のジグソーパズルのピースの平面図である。
【図３】図１のジグソーパズルのピースの側面図である。
【図４】図２のピースの凸部の周辺を拡大して示す平面図である。
【図５】図２のピースの凹部の周辺を拡大して示す平面図である。
【図６】図２のピースの第１凸部および第１凹部の寸法差を説明する図である。
【図７】図２のピースの第２凸部および第２凹部の寸法差を説明する図である。
【図８】図２のピースの製造方法の一例を説明する図である。
【図９】図１のジグソーパズルの組立体を持上げた状態を示す図である。
【図１０】図１のジグソーパズルの組立体の評価結果を説明する図である。
【００１２】
以下、本発明を好適な実施の形態をもとに各図面を参照しながら説明する。実施の形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１３】
［実施の形態］
図面を参照して実施の形態に係るジグソーパズル１００の構成について説明する。図１は、実施の形態に係るジグソーパズル１００の平面図である。説明の便宜上、図示のように、水平なある方向をＸ方向、Ｘ方向に直交する水平な方向をＹ方向、両者に直交する方向すなわち鉛直方向をＺ方向とするＸＹＺ直交座標系を定める。Ｘ軸、Ｙ軸、Ｚ軸のそれぞれの正の方向は、各図における矢印の方向に規定され、負の方向は、矢印と逆向きの方向に規定される。また、図１に示すように、水平面に設置したジグソーパズル１００を上側（紙面に垂直な方向）から視る視点を平面視という。このような方向の表記はジグソーパズル１００の使用姿勢を制限するものではなく、ジグソーパズル１００は任意の姿勢で使用されうる。
【００１４】
ジグソーパズル１００は、同一形状を有し互いに連結可能なピース１０を複数含む。図１の例では、１００個のピース１０が１０行（Ｘ軸方向）１０列（Ｙ軸方向）のマトリックス状に連結されている。以下、このように連結されたものを「組立体」という。ジグソーパズル１００は、ユーザが任意に設定した数のピース１０を連結して組立体８０を組立てるパズルである。したがって、９９個以下や１０１個以上のピース１０がマトリックス状に連結されてもよいし、組立体８０の形状は厳密なマトリックス配置でなく一部が突き出て一部がへこむような配置であってもよいし、組立体８０の輪郭形状は矩形でなくてもよい。
【００１５】
また、一旦完成した組立体８０に別のピース１０を追加して連結して別の組立体８０を形成することもできる。各ピース１０の表面には独立して一つの意味をなす絵柄や模様が設けられてもよい。各ピース１０の絵柄は互いに異なっていてもよいし、一部が同じであってもよい。ジグソーパズル１００は、ピース１０を追加購入して、既購入のピース１０と一緒に組立てられてもよい。一例として、組立体８０は、ユーザの創作に基づき、人生の筋道など不確定なストーリーを表現した双六のようなボードゲームを形成することができる。このように、ジグソーパズル１００は、高い拡張性を有することにより遊び方を多様に拡げることができる。
【００１６】
図２は、ピース１０の平面図である。図３は、ピース１０の側面図である。ピース１０は、ＸＹ平面に延在してＺ軸方向に薄い板状の部材である。ピース１０は、平面視で矩形の本体部１０ｂと、第１凸部１０ｈと、第１凹部１０ｊと、第２凸部１２ｈと、第２凹部１２ｊと、を有する。本体部１０ｂは、各辺からＺ軸方向に延在する４つの側面１０ｃ、１０ｄ、１０ｅ、１０ｆを有する。側面１０ｃと側面１０ｅとは、Ｘ軸方向に沿って互いに平行に設けられる。側面１０ｄと側面１０ｆとは、Ｙ軸方向に沿って互いに平行に設けられる。
【００１７】
第１凸部１０ｈは、側面１０ｃから外向きに突出して設けられる。この例では、第１凸部１０ｈは、側面１０ｃからＹ軸方向に突出している。第１凹部１０ｊは、側面１０ｅから内向き（Ｙ軸方向）に凹むように設けられる。第１凸部１０ｈは、第１凹部１０ｊに対して繰り返し係脱可能な形状を有する。
【００１８】
第２凸部１２ｈは、側面１０ｄから外向きに突出して設けられる。この例では、第２凸部１２ｈは、側面１０ｄからＸ軸方向に突出している。第２凹部１２ｊは、側面１０ｆから内向き（Ｘ軸方向）に凹むように設けられる。第２凸部１２ｈは、第２凹部１２ｊに対して繰り返し係脱可能な形状を有する。
【００１９】
図２において、線分Ｌａは、第１凸部１０ｈのＸ軸方向範囲を二等分する線であり、この例ではＹ軸に平行に延びている。線分Ｌａは、第１凹部１０ｊのＸ軸方向範囲を二等分する線でもある。つまり、Ｘ軸方向において、第１凸部１０ｈおよび第１凹部１０ｊの位置は同じである。第１凸部１０ｈおよび第１凹部１０ｊは、それぞれ線分Ｌａに対して線対称な形状であってもよいし、非対称な形状であってもよい。
【００２０】
図２において、線分Ｌｂは、第２凸部１２ｈのＹ軸方向範囲を二等分する線であり、この例ではＸ軸に平行に延びている。線分Ｌｂは、第２凹部１２ｊのＹ軸方向範囲を二等分する線でもある。つまり、Ｙ軸方向において、第２凸部１２ｈと第２凹部１２ｊの位置は同じである。第２凸部１２ｈおよび第２凹部１２ｊは、それぞれ線分Ｌｂに対して線対称な形状であってもよいし、非対称な形状であってもよい。
【００２１】
次に、第１凸部１０ｈおよび第２凸部１２ｈの形状について説明する。以下、第１凸部１０ｈおよび第２凸部１２ｈを総称するときは、単に凸部１４という。図４は、ピース１０の凸部１４の周辺を拡大して示す平面図である。第１凸部１０ｈと第２凸部１２ｈとは同一形状であってもよいし、非同一形状であってもよい。この例では、これらは似た平面輪郭を有している。なお、以下、凸部１４の突出方向を突出方向Ｐと、突出方向Ｐに直交する方向を横幅方向Ｒという。
【００２２】
凸部１４は、首部１４ｎと、頭部１４ｍと、を含む。横幅方向Ｒの寸法において、首部１４ｎは、頭部１４ｍより小さく形成される。凸部１４は、その根本に横幅方向Ｒにくびれた一対のくびれ部１４ｂを有する。一対のくびれ部１４ｂは、凸部１４の根本の両側から続く部分であり、本体部１０ｂの側面１０ｃ、１０ｆに接続される。首部１４ｎは、一対のくびれ部１４ｂの間の部分である。頭部１４ｍは、首部１４ｎから突出方向Ｐから張出した部分である。つまり、頭部１４ｍは、一対のくびれ部１４ｂに挟まれた部分である。
【００２３】
頭部１４ｍは、一対の傾斜部１４ｃと、一対の横張出部１４ｄと、頂上部１４ｅと、によって規定される部分である。一対の傾斜部１４ｃは、各くびれ部１４ｂの側面１０ｃ、１０ｆとは反対側に接続される。一対の横張出部１４ｄは、各傾斜部１４ｃのくびれ部１４ｂとは反対側に接続される。頂上部１４ｅは、一対の横張出部１４ｄの傾斜部１４ｃとは反対側に接続される。各くびれ部１４ｂは、窪んだＲ形状または、窪んだ部分円弧形状であってもよい。各横張出部１４ｄは、張り出したＲ形状または、張り出した部分円弧形状であってもよい。各傾斜部１４ｃは、略直線形状であってもよい。
【００２４】
頂上部１４ｅは、本体部１０ｂから突出方向Ｐで最も離れて位置し、本体部１０ｂの側面１０ｃ、１０ｆに略平行に延在する概ね平坦な面である。一対の横張出部１４ｄは、凸部１４において横幅方向Ｒに最も張り出た幅広な部分である。各傾斜部１４ｃは、各横張出部１４ｄと各くびれ部１４ｂとの間に延在し、本体部１０ｂの側面に対して傾斜する部分である。
【００２５】
図４に示すように、各傾斜部１４ｃが本体部１０ｂの側面１０ｃ、１０ｆとなす角度Ａｎは鋭角にされる。この例では、角度Ａｎは３０°〜６０°の範囲に設定される。
【００２６】
次に、第１凹部１０ｊおよび第２凹部１２ｊの形状について説明する。以下、第１凹部１０ｊおよび第２凹部１２ｊを総称するときは、単に凹部１６という。図５は、ピース１０の凹部１６の周辺を拡大して示す平面図である。凹部１６は、凸部１４の頭部１４ｍに対応する湾状部１６ｍと、凸部１４の首部１４ｎに対応する湾口部１６ｎと、を有する。なお、対応する部分とは、凹部に別のピースの凸部が嵌合するとき互いに当接する部分をいう。凹部１６は凸部１４と相似する平面輪郭を有している。
【００２７】
横幅方向Ｒの寸法において、湾口部１６ｎは、湾状部１６ｍより小さく形成される。このような形状を有することにより、頭部１４ｍは、湾状部１６ｍに嵌め合わされた状態では、Ｘ軸方向およびＹ軸方向の動きが規制される。
【００２８】
次に、第１凸部１０ｈおよび第１凹部１０ｊの寸法差について説明する。図６は、ピース１０の第１凸部１０ｈおよび第１凹部１０ｊの寸法差を説明する図である。横幅方向Ｒ（Ｘ軸方向）の寸法における、頭部１４ｍの最大寸法を横幅Ｌｍ１と、湾状部１６ｍの最大寸法を横幅Ｌｍ２と定義する。第１凸部１０ｈの横幅Ｌｍ１が、第１凹部１０ｊの横幅Ｌｍ２と同じかまたは小さい場合、第１凸部１０ｈは第１凹部１０ｊから容易に外れてしまう。この場合、組立てられた組立体８０を持ち上げたときに、ピース１０同士の連結を維持できず、組立体８０が崩れてしまう。そこで、実施の形態では、第１凸部１０ｈの横幅Ｌｍ１は、第１凹部１０ｊの横幅Ｌｍ２より大きく形成されている。この場合、第１凹部１０ｊに別のピース１０の第１凸部１０ｈが嵌合するとき、頭部１４ｍと湾状部１６ｍの当接面には圧縮応力が与えられて大きな摩擦力を生じる。このため、これらは容易には外れず、組立てられた組立体８０を持ち上げてもピース１０同士の連結状態を維持できる。横幅Ｌｍ１と横幅Ｌｍ２との寸法差Ｌｍ１２については後述する。
【００２９】
横幅方向Ｒの寸法において、第１凸部１０ｈの首部１４ｎの最小寸法を横幅Ｌｎ１と、第１凹部１０ｊの湾口部１６ｎの最小寸法を横幅Ｌｎ２と定義する。第１凸部１０ｈの首部１４ｎにおいても連結強度を高めることが望ましい。そこで、実施の形態では、第１凸部１０ｈの横幅Ｌｎ１は、第１凹部１０ｊの横幅Ｌｎ２より大きく形成されている。この場合、第１凹部１０ｊに別のピース１０の第１凸部１０ｈが嵌合するとき、首部１４ｎと湾口部１６ｎの当接面には圧縮応力が与えられて大きな摩擦力を生じる。このため、組立てられた組立体８０のピース１０同士の連結強度を高めることができる。横幅Ｌｎ１と横幅Ｌｎ２との寸法差Ｌｎ１２については後述する。
【００３０】
次に、第２凸部１２ｈおよび第２凹部１２ｊの寸法差について説明する。図７は、ピース１０の第２凸部１２ｈおよび第２凹部１２ｊの寸法差を説明する図である。横幅方向Ｒ（Ｙ軸方向）の寸法における、頭部１４ｍの最大寸法を横幅Ｌｍ３と、湾状部１６ｍの最大寸法を横幅Ｌｍ４と定義する。実施の形態では、第２凸部１２ｈの横幅Ｌｍ３は、第２凹部１２ｊの横幅Ｌｍ４より大きく形成されている。第２凹部１２ｊに別のピース１０の第２凸部１２ｈが嵌合するとき、頭部１４ｍと湾状部１６ｍの当接面には圧縮応力が与えられて大きな摩擦力を生じる。このため、これらは容易には外れず、組立てられた組立体８０を持ち上げてもピース１０同士の連結状態を維持できる。横幅Ｌｍ３と横幅Ｌｍ４との寸法差Ｌｍ３４については後述する。
【００３１】
横幅方向Ｒの寸法において、第２凸部１２ｈの首部１４ｎの最小寸法を横幅Ｌｎ３と、第２凹部１２ｊの湾口部１６ｎの最小寸法を横幅Ｌｎ４と定義する。実施の形態では、第２凸部１２ｈの首部１４ｎの横幅Ｌｎ３が、第２凹部１２ｊの湾口部１６ｎの横幅Ｌｎ４より大きく形成されている。第２凹部１２ｊに別のピース１０の第２凸部１２ｈが嵌合するとき、首部１４ｎと湾口部１６ｎの当接面には圧縮応力が与えられて大きな摩擦力を生じる。このため、組立てられた組立体８０のピース１０同士の連結強度を高めることができる。横幅Ｌｎ３と横幅Ｌｎ４との寸法差Ｌｎ３４については後述する。
【００３２】
次に、ピース１０の素材について説明する。ピース同士の当接面に安定した圧縮応力を生じさせるために、ピース１０は柔軟性を有する素材で形成されることが望ましい。このような素材としてはポリプロピレン、ポリ塩化ビニル、ポリエチレン、ポリスチレン及びポリエチレンテレフタレートなどの軟質樹脂があげられる。ピース１０は、所望の特性に応じて、これらの樹脂から選択した一種以上の樹脂を主成分とする素材から形成することができる。この素材は発泡樹脂であってもよい。この場合、発泡倍率を調整することにより、所望の密度および弾性率を得ることができる。
【００３３】
次に、これらの樹脂から形成される場合のピース１０の寸法差Ｌｍ１２、Ｌｍ３４、Ｌｎ１２、Ｌｎ３４の一例を説明する。以下、寸法差Ｌｍ１２、Ｌｍ３４、Ｌｎ１２、Ｌｎ３４を総称するときは、単に「寸法差Ｌｍｎ」という。寸法差Ｌｍｎが小さすぎると、所望の連結強度を得ることができない。また、寸法差Ｌｍｎが大きすぎると、子供の力でパズルを組立てたり、分解したりすることが難しい。これらの観点から、寸法差Ｌｍｎは、好ましくは０．０４ｍｍ〜０．２０ｍｍの範囲、より好ましくは０．０５ｍｍ〜０．１５ｍｍの範囲、一層好ましくは０．０７ｍｍ〜０．１３ｍｍの範囲に設定されてもよい。この場合、子供でも組立・分解をすることができ、所望の連結強度を得ることができる。
【００３４】
寸法差Ｌｍｎそれぞれは、同じであってもよいし、それぞれ異なっていてもよい。実施の形態ではこれらは同じ範囲に設定されている。寸法差Ｌｍｎは、ピース１０の素材に応じて所望の連結強度を得るように、実験により決定することができる。
【００３５】
次に、ピース１０の製造方法の一例を説明する。図８は、ピース１０の製造方法の一例を説明する図である。ピース１０の製造法としては、打ち抜き工程と樹脂成形工程とを例示することができる。図８の例では、ピース１０は、所定の倍率および所定の厚さを有する樹脂製のベースシート２０から、順次打ち抜いて製造される。この場合、上述の寸法差Ｌｍｎを実現することができる。別の例では、ピース１０は、射出成形により製造される。
【００３６】
次に、このように構成されたピース１０について、ピース１０の厚さと寸法差を変化させた試料１、２の特性について説明する。図９は、ジグソーパズル１００の組立体８０を持上げた状態を示す図である。ジグソーパズル１００では、一定の数以下のピースで組立てられた組立体８０を持上げて提示することができる。図１０は、ジグソーパズル１００の組立体８０の評価結果を説明する図である。この図で、行数および列数は、マトリックス状に連結されたピース１０の数を示す。ピース数は、組立体８０を構成するピース１０の数を示す。評価結果は、このように構成された組立体８０を図９に示すように持ち上げた場合の連結状態を示している。この結果は、組立体８０の持ち上げを３回試行し、ピース間の連結が外れずに持上げられた回数を示している。
◎印は、３回成功し、持上げた状態で中央部の垂れ下がりは殆ど見られない場合を示す。
〇印は、３回成功し、持上げた状態で中央部の垂れ下がりが見られる場合を示す。
△印は、成功回数は２回以下、持上げた状態で中央部の垂れ下がりが大きい場合を示す。
×印は、成功回数は０回の場合を示す。
【００３７】
（試料１）
ピース１０の厚さ：２．０〜３．０ｍｍ
寸法差Ｌｍｎ：０．０７ｍｍ〜０．１３ｍｍ
ピース数＝４００個以下では、成功回数は３回、垂れ下がりは殆ど見られない。
ピース数＝１６００個では、成功回数は３回、垂れ下がりが観察された。
ピース数＝２０２５個では、成功回数は１回、その場合も中央部の垂れ下がりが大きい。
ピース数＝２５００個では、成功回数は０回であった。
この結果から、試料１は、１０００個程度のピース１０からなる組立体８０を持ち上げる場合に好適に使用できる。
【００３８】
（試料２）
ピース１０の厚さ：１．５〜２．０ｍｍ
寸法差Ｌｍｎ：０．０４ｍｍ〜０．０６ｍｍ
ピース数＝１００個では、成功回数は３回、垂れ下がりは殆ど見られない。
ピース数＝４００個では、成功回数は３回、中央部の垂れ下がりが観察された。
ピース数＝９００個では、成功回数は１回、その場合も中央部の垂れ下がりが大きい。
ピース数＝１６００個以上では、成功回数は０回であった。
この結果から、試料２は、１００〜４００個の範囲のピース１０からなる組立体８０を持ち上げる場合に好適に使用できる。
【００３９】
次に、本発明の一態様の概要について説明する。本発明のある態様のジグソーパズルは、凸部と凹部とが嵌合して連結される、複数の同一形状のピースを含むジグソーパズルであって、凸部はその根本の両側から続く、ふたつのくびれ部と、ふたつのくびれ部で挟まれる頭部とを含み、頭部の横幅は、凹部の横幅よりも大きい。
【００４０】
この態様によると、頭部の横幅が凹部の横幅よりも大きいので、ピース同士の連結強度の向上を図ることができる。
【００４１】
ピースは、主成分が、ポリプロピレン、ポリ塩化ビニル、ポリエチレン、ポリスチレン及びポリエチレンテレフタレートから選択される一種以上の樹脂から形成されるとともに、頭部の横幅と凹部の横幅との差は０．０４ｍｍ〜０．２０ｍｍの範囲内に設定されてもよい。この場合、素材が柔軟性を備えるので、ピース同士の当接面に安定した圧縮応力を生じさせることができる。また、子供でも組立・分解可能な特性と、ピース同士の連結強度との両立を図ることができる。
【００４２】
くびれ部の横幅は、凹部のくびれ部に対応する部分の横幅より大きくしてもよい。この場合、ピース同士の連結強度の一層の向上を図ることができる。
【００４３】
以上、本発明の幾つかの実施の形態をもとに説明した。これらの各実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００４４】
以下、変形例について説明する。変形例の図面および説明では、各実施の形態と同一または同等の構成要素、部材には、同一の符号を付する。各実施の形態と重複する説明を適宜省略し、各実施の形態と相違する構成について重点的に説明する。
【００４５】
（変形例）
実施の形態の説明では、ピース１０が単層の樹脂から形成される例を示したが、本発明はこれに限定されない。ピース１０は、硬度の異なる複数の樹脂の層構造を備えてもよい。一例として、ピース１０は、２枚の高硬度表面層の間に相対的に低硬度の中間層が挟まれた構造を有してもよい。
【００４６】
実施の形態の説明では、ジグソーパズル１００が同一形状のピース１０のみから構成される例を示したが、本発明はこれに限定されない。ジグソーパズル１００は、ピース１０により構成される部分と、ピース１０とは形状の異なる別型ピースから形成される部分とを含んでもよい。例えば、ピース１０により構成された部分の周辺に別型ピースを連結して、周囲の凹凸を減らすようにしてもよい。
【００４７】
実施の形態の説明では、ピースが平面上に組み立てられる例を示したが、本発明はこれに限定されない。本発明に係るジグソーパズルは、曲面上に組み立てられてもよい。
【００４８】
実施の形態の説明では、台紙や枠を用いない例を示したが、本発明はこれに限定されない。本発明に係るジグソーパズルは、台紙や枠と組み合わせて使用されてもよい。
【００４９】
これらの各変形例は、実施の形態のジグソーパズル１００と同様の作用効果を奏する。
【符号の説明】
【００５０】
１０・・ピース、  １０ｂ・・本体部、  １０ｈ・・第１凸部、  １０ｊ・・第１凹部、  １２ｈ・・第２凸部、  １２ｊ・・第２凹部、  １４・・凸部、  １４ｂ・・くびれ部、  １４ｍ・・頭部、  １４ｎ・・首部、  １６・・凹部、  １６ｍ・・湾状部、  １６ｎ・・湾口部、  ２０・・ベースシート、  ８０・・組立体、  １００・・ジグソーパズル。
【図１】
2019187562.tif 000003
【図２】
2019187562.tif 000004
【図３】
2019187562.tif 000005
【図４】
2019187562.tif 000006
【図５】
2019187562.tif 000007
【図６】
2019187562.tif 000008
【図７】
2019187562.tif 000009
【図８】
2019187562.tif 000010
【図９】
2019187562.tif 000011
【図１０】
2019187562.tif 000012